(57)【要約】【課題】印刷準備段階においてひじわの発生を予測し、印刷を行う前に発生対策が可能であるひじわ発生予測システムおよび方法を提供することを目的とする。【解決手段】印刷刷版のイメージデータの各位置における絵柄面積を算出する絵柄面積測定手段と、絵柄面積測定手段が求めた各版を全色分合計した値により表裏の絵柄面積率の差が予め設定した基準値を上回るか否かでひじわの発生を予測するひじわ予測手段とを設けたひじわ発生予測システムを提供する。【選択図】　図１
2004066788.tif 000002
【特許請求の範囲】
【請求項１】
印刷刷版のイメージデータの各位置における絵柄面積を算出する絵柄面積測定手段と、
前記絵柄面積測定手段が求めた各版を全色分合計した値により、表裏の絵柄面積率の差が予め設定した基準値を上回るか否かでひじわの発生を予測するひじわ予測手段と、
を備えることを特徴とするひじわ発生予測システム。
【請求項２】
請求項１記載のひじわ発生予測システムであって、
前記表裏の絵柄面積率の差が、予め定めた基準値を超えるものについて、作業者に警告を行う警告手段と、
を備えたことを特徴とするひじわ発生予測システム。
【請求項３】
請求項１または２記載のひじわ発生予測システムであって、製版が終了したページデータを印刷刷版上に配置する面付け手段と、
前記表裏の絵柄面積率の差、および前記面付け手段によるページデータの配置に基づき、ひじわの発生が予測されるページを表示する修正候補表示手段と、
を備えることを特徴とするひじわ発生予測システム。
【請求項４】
請求項１から３のいずれかに記載のひじわ発生予測システムであって、
印刷機においてひじわが発生した情報を収集する情報収集手段と、
前記ひじわの発生情報と、前記表裏の絵柄面積率の差の履歴に基づき、前記予め定めた基準値を順次更新する更新機能と、
を備えることを特徴とするひじわ発生予測システム。
【請求項５】
予めひじわが発生する可能性を警告するための基準値を設定する段階と、
製版が終了したページデータを刷版上に面付けし、全色分の刷版イメージデータを作成する段階と、
前記全色分の刷版イメージデータ各々から絵柄面積率を測定する段階と、
前記測定した絵柄面積率を表裏それぞれに全色分の合計値を求める段階と、
前記全色分を合計した表裏の絵柄面積率の差を求める段階と、
前記基準値と前記表裏の絵柄面積率の差を比較する段階と、
前記比較の結果、前記表裏の絵柄面積率の差が前記基準値を上回る極端に表裏の絵柄面積率の差を検出する場合、ひじわが発生する可能性ありとしてオペレータに警告する段階と、
を設けたことを特徴とするひじわ発生予測方法。
【請求項６】
請求項５記載のひじわ発生予測方法であって、
前記表裏の絵柄面積率の差、および前記面付けによるページデータの配置に基づき、ひじわの発生が予測されるページを表示する段階と、
を設けたことを特徴とするひじわ発生予測方法。
【請求項７】
請求項５または６のいずれかに記載のひじわ発生予測方法であって、
印刷機においてひじわが発生した情報を収集する段階と、
前記ひじわの発生情報と前記表裏の絵柄面積率の差の履歴に基づき、前記予め定めた基準値を順次更新する段階と、
を備えたことを特徴とするひじわ発生予測方法。
【発明の詳細な説明】
【０００１】
【発明の属する技術分野】
本発明は、オフセット印刷の技術分野に属し、特に両面同時印刷において発生するひじわと呼ばれる現象を予測し、対応するためのシステムおよび方法に関するものである。
【０００２】
【従来の技術】
オフセット輪転印刷機において、印刷乾燥の際に、ひじわと呼ばれる印刷流れ方向に対して平行な浪状のしわが発生する。
【０００３】
ひじわが発生する原因は、印刷表面における不均一な乾燥によるものであり、特に乾燥温度が高いほど発生しやすいことが知られている。高温加熱以外に、印刷テンション、絵柄量、絵柄の配置、用紙の繊維配向性なども原因になると考えられている。
【０００４】
従来、乾燥工程において、印刷インキ面と白紙面ともに均一な熱風を当てるような方法が用いられている。しかし、この方法では、インキ層のある印刷面とインキ層のない白紙面とにおいて、用紙が含有している水分の蒸発量を均一にすることはできない。
【０００５】
つまり、インキ層により水分の蒸発が抑制されてしまうためインキ層の下の用紙の水分の蒸発量は少なく、白紙面では蒸発を抑制するものがないため白紙面の用紙の水分の蒸発量は多くなる。このため、印刷面と白紙面とでは用紙の収縮の差が生じて、印刷部にしわが発生する。
【０００６】
また、同じ印刷面であってもひじわが発生する場合もある。すなわち、絵柄面積の印刷面表裏の差が極端に大きい場合、印刷の表裏で水分含有量が異なることにより、水分含有量の多い面（絵柄面積の大きい面）が水分含有量の少ない面（絵柄面積の小さい面）に引っ張られるためである。
【０００７】
このようなひじわの対策としては、印刷用紙面上の温度を測定および制御する乾燥装置（例えば、特許第２７２９８０２号公報）、冷却ドラムに用紙を密接させてしわを均一化する方法（例えば、特許第２５９４５１９号公報）などが提案されているが、未だ完全な効果をあげてはいない。
【０００８】
しかも、上述の方法においても、ひじわが発生するか否かは、印刷を行い、乾燥工程を通るまではわからない。結果的に、ひじわが発生した場合は、１）用紙を変更する、２）用紙のテンションを下げる、３）乾燥温度を下げる、などの対応を毎回行う必要がある。
【０００９】
【発明が解決しようとする課題】
本発明は、上記問題を解決するためになされたものであり、印刷準備段階においてひじわの発生を予測し、印刷を行う前に発生対策が可能であるひじわ発生予測システムおよび方法を提供することを目的とする。
【００１０】
【課題を解決するための手段】
本発明の第１の態様は、ひじわ発生予測システムにおいて、印刷刷版のイメージデータの各位置における絵柄面積を算出する絵柄面積測定手段と、前記絵柄面積測定手段が求めた各版を全色分合計した値により表裏の絵柄面積率の差が予め設定した基準値を上回るか否かでひじわの発生を予測するひじわ予測手段とを設けたものである。
【００１１】
本発明の第２の態様は、上述の第１の態様に係るひじわ発生予測システムにおいて、前記表裏の絵柄面積率の差が、予め定めた基準値を超えるものについて、作業者に警告を行う警告手段を設けたものである。
【００１２】
本発明の第３の態様は、上述の第１または２の態様に係るひじわ発生予測システムにおいて、製版が終了したページデータを印刷刷版上に配置する面付け手段と、前記表裏の絵柄面積率の差および前記面付け手段によるページデータの配置に基づきひじわの発生が予測されるページを表示する修正候補表示手段とを設けたものである。
【００１３】
本発明の第４の態様は、上述の第１から３の態様に係るひじわ発生予測システムにおいて、印刷機においてひじわが発生した情報を収集する情報収集手段と、前記ひじわの発生情報と前記表裏の絵柄面積率の差の履歴に基づき前記予め定めた基準値を順次更新する更新機能とを設けたものである。
【００１４】
本発明の第５の態様は、ひじわ発生の予測において、予めひじわが発生する可能性を警告するための基準値を設定する段階と、製版が終了したページデータを刷版上に面付けし全色分の刷版イメージデータを作成する段階と、前記全色分の刷版イメージデータ各々から絵柄面積率を測定する段階と、前記測定した絵柄面積率を表裏それぞれに全色分の合計値を求める段階と、前記全色分を合計した表裏の絵柄面積率の差を求める段階と、前記基準値と前記表裏の絵柄面積率の差を比較する段階と、前記比較の結果において前記表裏の絵柄面積率の差が前記基準値を上回る極端に表裏の絵柄面積率の差を検出する場合にひじわが発生する可能性ありとしてオペレータに警告する段階とにひじわが発生する可能性ありとしてオペレータに警告する段階とを行うようにしたものである。
【００１５】
本発明の第６の態様は、上述の第５の態様に係るひじわ発生予測方法において、前記表裏の絵柄面積率の差および前記面付けによるページデータの配置に基づきひじわの発生が予測されるページを表示する段階を行うようにしたものである。
【００１６】
本発明の第７の態様は、上述の第５または６の態様に係るひじわ発生予測方法において、印刷機においてひじわが発生した情報を収集する段階と、前記ひじわの発生情報と前記表裏の絵柄面積率の差の履歴に基づき前記予め定めた基準値を順次更新する段階とを行うようにしたものである。
【００１７】
【発明の実施の形態】
以下、本発明を図示する実施形態に基づいて説明する。図１は、本発明のひじわ発生予測システムの一実施例を示す構成図である。ひじわ発生予測システムは、ひじわ予測手段１、印刷機脇の情報収集手段２、刷版制作工程に設置されている絵柄面積測定手段３および面付け手段４から成り、接続しているネットワーク５を介して情報の交換を行う。
【００１８】
ひじわ予測手段１、情報収集手段２、絵柄面積測定手段３、面付け手段４は、実際にはコンピュータシステムであり、ハードウェアの観点からみると、情報を記録するコンピュータ用の記録装置（磁気ディスク、光ディスクなど）、コンピュータに指示を与える入力装置（キーボード、マウス、バーコードリーダなど）、演算を行うＣＰＵ、結果を表示するＣＲＴなどの表示装置、他装置と情報を交換するインタフェースなどから実現されている。
【００１９】
また、ひじわ予測手段１は、予め警告を行う印刷刷版の表裏の絵柄面積率の差の基準値を設定する基準設定手段６、印刷刷版の全色分のイメージデータから表裏の絵柄面積率の差を算出する絵柄面積差算出手段７、予め定めた基準値を超えるものについて作業者に警告を行う警告手段８、ひじわの発生を防止するために修正すべきページを表示する修正位置表示手段９、ひじわの発生情報と表裏の絵柄面積率の差の履歴に基づき基準値を順次更新する更新手段１０、絵柄面積・面付け情報・ひじわ発生情報などを保存するデータベース１１を備えている。
【００２０】
図２を用いて、ひじわ発生予測システムが、ひじわの発生を予測する方法について、プロセスカラー４色印刷における、両面同時印刷の上胴用、下胴用、すなわち表面用と裏面用の刷版を例に説明する。
【００２１】
まず、基準設定手段６により、警告を行う基準値（表裏の絵柄面積率の差が極端に大きいなど、ひじわの発生する可能性があると想定される絵柄面積率の差）として、例えば「表面用と裏面用の刷版の絵柄面積率差が１８０％」をデータベース１１に設定する（ステップＳ１）。
【００２２】
刷版工程において、面付け手段４は、製版工程から下版された各ページデータを刷版上に面付けし、複数ページから成る表面用および裏面用の刷版イメージデータを作成する（ステップＳ２）。
【００２３】
この時、面付け手段４は、図３に示すように、品目を識別する品目ＩＤと各ページが刷版上のどの位置に配置されるかという情報を対にした配置情報１２をひじわ予測手段１へ伝送する。配置情報１２を受け取ったひじわ予測手段１は、データベース１１に記録する（ステップＳ３）。
【００２４】
次に、刷版工程において、絵柄面積測定手段３は、図４に表面用の例を示すように、製版工程においてコンピュータ製版システムによって生成されたデータをある一定の大きさを持つ矩形領域に分割し、各矩形領域内を走査し、各矩形領域内に含まれるドットの数を数えて算出する。
【００２５】
また、絵柄面積測定手段３は、表面用および裏面用の刷版イメージデータから４色の版全ての絵柄面積率を求め、合算する。例えば、各色の絵柄面積率がＣ：５０％、Ｍ：５０％、Ｙ：５０％、Ｋ：５０の場合、２００％の絵柄面積率とする（ステップＳ４）。
【００２６】
絵柄面積測定手段３は、図５に示すような品目ＩＤとステップＳ４で求めた絵柄面積率を対にした絵柄面積情報１３をひじわ予測手段１に伝送する。ひじわ予測手段１は、絵柄面積情報１３をデータベース１１へ記録する（ステップＳ５）。
【００２７】
次に、絵柄面積差算出手段７は、データベース１１に記録した絵柄面積情報１３から、表面と裏面の対応する位置の絵柄面積率の差を求め、その差が予め基準設定手段６により設定しておいた基準値を超えた場合、ひじわが発生する可能性があるとして、警告手段８によりオペレータに警告する（ステップＳ６およびＳ７）。
【００２８】
本実施例では、予め定めた基準の絵柄面積率差が１８０％であるから、絵柄面積率の差が２００％である図５の（ａ）の位置において、ひじわが発生する可能性があるとして、警告手段８によりオペレータに警告する。
【００２９】
また、図５の（ａ）のように、ステップＳ６により求めた絵柄面積率差が予め定めた基準値を超えた領域がある場合、修正位置表示手段９は、配置情報１２を参照して、ひじわが発生しそうな領域が、どのページに属するか判断し、当該ページを修正すべき候補として表示する（ステップＳ８）。
【００３０】
図５の（ａ）は、代表位置（４００，３７５）においてひじわが発生しそうな例である。代表位置（４００，３７５）は、図３の配置情報１２において、表面に配置された５ページまたは裏面に配置された６ページだと判断できる。したがって、５ページまたは６ページを再編集することにより、絵柄面積率の差を調整し、ひじわの発生を防ぐことができる（ステップＳ９）。
【００３１】
実際に印刷を開始し、もし、当該品目の印刷途中にひじわが発生した場合は、印刷機脇に設置した情報収集手段２によりひじわが発生した印刷機の機械番号と品目ＩＤを、ひじわ予測手段１に伝送し、ひじわ予測手段１は、どの程度の絵柄面積率の差があった場合にひじわが発生したのかという履歴をデータベース１１へ記録する（ステップＳ１０およびＳ１１）。
【００３２】
この時、予め定めてある基準値（例えば、１８０％）より、取得した最大の絵柄面積率の差が小さいにも係らずひじわが発生した場合、以降の基準を引き下げるべく更新手段１０により基準値を更新し、更新した絵柄面積率の差を新たな基準とする（ステップＳ１２）。
【００３３】
以上、本発明を実施の形態に基づいて詳細に説明してきたが、本発明によるひじわ発生予測システムは、上述の実施の形態に何ら限定されるものではなく、本発明の趣旨を逸脱しない範囲において種々の変更が可能なことは当然のことである。
【００３４】
【発明の効果】
以上のとおり、本発明に係るひじわ発生予測システムおよび方法によれば、表裏両面の刷版のイメージデータから絵柄面積率の差を求め、予め定めてある基準値と対照することにより、印刷準備段階においてひじわが発生する可能性が高いことを警告し、警告に対して印刷開始前に印刷機を調整することができる。
【００３５】
また、刷版内の配置情報と対照することにより、ひじわが発生する可能性があるページの組合せが特定できるため、印刷前に当該ページを再編集して、ひじわが発生し難い刷版を作成することが可能になる。
【００３６】
また、情報収集手段により、警告を行う基準値をひじわの発生に合わせて更新していくため、常に最新で、より厳しい条件を用いてひじわの発生を予測することが可能になる。
【図面の簡単な説明】
【図１】本発明のひじわ発生予測システムの構成図である。
【図２】本発明のひじわ発生予測システムの動作を示すフローチャートである。
【図３】本発明の配置情報の一実施例である。
【図４】本発明の絵柄面積率測定の一実施例である。
【図５】本発明の絵柄面積率情報の一実施例である。
【符号の説明】
１　ひじわ予測手段
２　情報収集手段
３　絵柄面積測定手段
４　面付け手段
５　ネットワーク
６　基準設定手段
７　絵柄面積差算出手段
８　警告手段
９　修正位置表示手段
１０　更新手段
１１　データベース
１２　配置情報
１３　絵柄面積情報
【図１】
2004066788.tif 000003
【図２】
2004066788.tif 000004
【図３】
2004066788.tif 000005
【図４】
2004066788.tif 000006
【図５】
2004066788.tif 000007